(57)【要約】【課題】放送を受信するのに必要な放送チャネル情報を移動通信装置に提供するものであって、ユーザへの負担を大幅に軽減できる放送チャネル情報提供システムを提供する。【解決手段】携帯電話機ＭＳは、携帯基地局ＢＳから取得された位置情報を携帯通信ネットワークＭＮＷを介して公衆通信ネットワークＰＮＷに接続されている放送チャネル情報提供装置２に送信する。放送チャネル情報提供装置２は、放送チャネル情報データベース２０に記憶されている複数の放送チャネル情報のうち上記位置情報に対応する放送チャネル情報を抽出し、公衆通信ネットワークＰＮＷ及び携帯通信ネットワークＭＮＷを介して携帯電話機ＭＳに送信する。こうして、携帯電話機ＭＳはその位置に応じた最新の放送チャネル情報を自動的に取得できる。【選択図】        図１
2004201117.tif 000002
【特許請求の範囲】
【請求項１】
放送チャネル情報に基づいて放送を受信する移動通信装置に対して、この移動通信装置と無線接続可能な通信ネットワークに接続された放送チャネル情報提供装置に記憶されている複数の放送チャネル情報のうち上記移動通信装置の現在位置情報に対応する放送チャネル情報を提供するようにしたことを特徴とする放送チャネル情報提供システム。
【請求項２】
上記移動通信装置は、自己の現在位置情報を上記放送チャネル情報提供装置に通知する位置情報通知部を有するものであり、
上記放送チャネル情報提供装置は、位置情報に対応付けられた複数の放送チャネル情報を記憶する放送チャネル情報記憶部と、上記位置情報通知部から通知された移動通信装置の現在位置情報に対応する放送チャネル情報を上記放送チャネル情報記憶部から抽出する情報チャネル情報抽出部と、この抽出された放送チャネル情報を上記移動通信装置に送信する放送チャネル情報送信部とを有するものであり、
上記移動通信装置は、さらに、上記放送チャネル情報送信部から送信された放送チャネル情報を受信し保持する放送チャネル情報受信・保持部を有するものであることを特徴とする請求項１に記載の放送チャネル情報提供システム。
【請求項３】
上記放送チャネル情報送信部から上記移動通信装置に送信される放送チャネル情報を中継するものであって、所定の位置情報が予め割り当てられた無線基地局を含むものであり、
上記移動通信装置は、さらに、上記無線基地局に割り当てられている位置情報を取得する位置情報取得部を有するものであり、
上記位置情報通知部は、この取得された位置情報を現在位置情報として上記位置情報受信部に通知するものであることを特徴とする請求項２に記載の放送チャネル情報提供システム。
【請求項４】
上記移動通信装置は、さらに、
上記取得された位置情報を保持する位置情報保持部と、
この保持されている位置情報と新たに取得された位置情報とを比較する位置情報比較部と、
この比較の結果２つの位置情報が一致する場合に上記位置情報の送信を禁止する送信制御部とを含むことを特徴とする請求項３に記載の放送チャネル情報提供システム。
【請求項５】
上記無線基地局に割り当てられている位置情報は同じ放送チャネル情報に対応する複数の位置情報を含むものであり、
上記送信制御部は、上記保持されている位置情報が新たに取得された上記複数の位置情報のうちいずれか１つと一致する場合、上記位置情報の送信を禁止するものであることを特徴とする請求項４に記載の放送チャネル情報提供システム。
【請求項６】
上記無線基地局に割り当てられている位置情報と同じ放送チャネル情報とは１対１に対応付けられており、
上記移動通信装置は、さらに、通信対象の無線基地局の近傍に存在する無線基地局のうち接続可能な無線基地局を検索する基地局検索部を含むものであり、
上記位置情報取得部は、この検索された無線基地局に割り当てられている位置情報を近隣位置情報として取得するものであり、
上記位置情報通知部は、上記通信対象の無線基地局に割り当てられている位置情報及び上記近隣位置情報を上記放送チャネル情報提供装置に通知するものであり、
上記放送チャネル情報提供装置は、さらに、上記位置情報及び隣接位置情報に基づいて上記移動通信装置の現在位置情報を推定する位置推定部を有するものであり、
上記放送チャネル情報抽出部は、この推定された現在位置情報に対応する放送チャネル情報を上記放送チャネル情報記憶部から抽出するものであることを特徴とする請求項３又は４に記載の放送チャネル情報提供システム。
【請求項７】
上記無線基地局に割り当てられている位置情報と同じ放送チャネル情報とは１対１に対応付けられており、
上記移動通信装置は、さらに、通信対象の無線基地局の近傍に存在する無線基地局のうち接続可能な無線基地局を検索する基地局検索部を含むものであり、
上記位置情報取得部は、この検索された無線基地局に割り当てられている位置情報を近隣位置情報として取得するものであり、
上記移動通信装置は、さらに、上記通信対象の無線基地局に割り当てられている位置情報及び上記近隣位置情報に基づいて現在位置情報を推定する位置推定部を含むものであり、
上記位置情報通知部は、この推定された現在位置情報を上記放送チャネル情報提供装置に通知するものであることを特徴とする請求項３又は４に記載の放送チャネル情報提供システム。
【請求項８】
所定の位置情報が割り当てられた無線基地局を有し、この無線基地局は、上記放送チャネル情報提供装置に記憶されている複数の放送チャネル情報のうち上記割り当てられている位置情報に対応する放送チャネル情報を格納する放送チャネル情報格納部と、この放送チャネル情報格納部に格納されている放送チャネル情報を同報配信する同報配信部とを有し、
上記移動通信装置は、上記無線基地局から同報配信されている放送チャネル情報を受信し保持する放送チャネル情報受信・保持部を含むものであることを特徴とする請求項１に記載の放送チャネル情報提供システム。
【請求項９】
上記移動通信装置は、さらに、
上記保持されている放送チャネル情報と新たに受信された放送チャネル情報とを比較する放送チャネル情報比較部と、
この比較の結果２つの放送チャネル情報が一致する場合、上記保持されている放送チャネル情報の更新を禁止する送信制御部とを含むものであることを特徴とする請求項８に記載の放送チャネル情報提供システム。
【請求項１０】
上記移動通信装置は、さらに、通信対象の無線基地局の近傍に存在する無線基地局のうち接続可能な無線基地局を検索する基地局検索部と、この基地局検索部で検索された無線基地局から同報配信されている放送チャネル情報のうちいずれかを選択する放送チャネル情報選択部とを含むものであり、
上記放送チャネル情報受信・保持部は、上記放送チャネル情報選択部で選択された放送チャネル情報を保持するものであることを特徴とする請求項８又は９に記載の放送チャネル情報提供システム。
【請求項１１】
上記放送はディジタル放送であり、
上記放送チャネル情報は、チャネル周波数、モード、ガードインターバルからなる放送パラメータ、及び、チャネル番号を有し、上記ディジタル放送の番組を一意に特定するためのディジタル放送チャネル情報であることを特徴とする請求項１乃至１０のいずれかに記載の放送チャネル情報提供システム。
【請求項１２】
上記移動通信装置は、無線音声通信及び無線データ通信を実行する携帯可能な携帯電話機であることを特徴とする請求項１乃至１１のいずれかに記載の放送チャネル情報提供システム。
【請求項１３】
放送チャネル情報に基づいて放送を受信する移動通信装置と無線接続可能な通信ネットワークに接続され、上記移動通信装置に対して上記放送チャネル情報を提供する放送チャネル情報提供装置において、
位置情報に対応付けられた複数の放送チャネル情報を記憶する放送チャネル情報記憶部と、
この記憶されている複数の放送チャネル情報の中から上記移動通信装置の現在位置情報に対応する放送チャネル情報を抽出する放送チャネル情報抽出部と、
この抽出された放送チャネル情報を上記移動通信装置に送信する放送チャネル情報送信部とを含むことを特徴とする放送チャネル情報提供装置。
【請求項１４】
放送チャネル情報に基づいて放送を受信する移動通信装置において、無線接続可能な通信ネットワークから無線送信された放送チャネル情報を受信する放送チャネル情報受信部と、この受信された放送チャネル情報を保持する放送チャネル情報保持部とを含むことを特徴とする移動通信装置。
【発明の詳細な説明】
【０００１】
【発明の属する技術分野】
この発明は、たとえばディジタル放送を受信可能な携帯電話機などの移動通信装置に対して上記ディジタル放送を受信するのに必要な放送チャネル情報を提供する放送チャネル情報提供システム及び装置、並びに、移動通信装置に関する。
【０００２】
【従来の技術】
従来から、テレビ放送やラジオ放送などを受信できる携帯電話機が知られている。この種の携帯電話機は、たとえば、複数の携帯基地局の位置情報のそれぞれについて少なくとも１つの放送局周波数を記憶する周波数記憶手段と、携帯基地局からの位置情報と選択された放送局によって、放送局周波数を上記周波数記憶手段から検索する周波数検索手段を備えている（たとえば特許文献１参照）。
【０００３】
また、テレビ放送やラジオ放送などを受信できる車載ナビゲーション装置が知られている。この種の車載ナビゲーション装置は、たとえば、オートプリセット機能を備え、このオートプリセット機能によってテレビがセットされている地域で受信できるであろうチャンネルをチャンネルメモリに登録するようにしている（たとえば特許文献２参照）。
【０００４】
【特許文献１】
特開平８−１６２９０９号公報（請求項１、図３）
【特許文献２】
特開２００１−１６８６８４号公報（段落番号［００２５］、図１）
【０００５】
【発明が解決しようとする課題】
ところで、上述のような携帯電話機や車載ナビゲーション装置のような移動通信装置は、移動に伴ってそれまで設定されていた放送チャネル情報であるチャネル周波数を使用できなくなる場合がある。この場合、移動先で視聴可能なチャネル周波数を自動周波数スキャン機能を使って取得し移動通信装置に登録する必要がある。そのため、ユーザの作業が非常に面倒でユーザに大きな負担を掛けるとの問題があった。
【０００６】
そこで、この発明の目的は、ユーザへの負担を大幅に軽減できる放送チャネル情報提供システム及び装置並びに移動通信装置を提供することである。
【０００７】
【課題を解決するための手段】
上記目的を達成するための本発明は、放送チャネル情報に基づいて放送を受信する移動通信装置に対して、この移動通信装置と無線接続可能な通信ネットワークに接続された放送チャネル情報提供装置に記憶されている複数の放送チャネル情報のうち上記移動通信装置の現在位置情報に対応する放送チャネル情報を提供するようにしたものである。
【０００８】
【発明の実施の形態】
以下では、この発明の実施の形態を、添付図面を参照して詳細に説明する。
【０００９】
実施の形態１．
図１は、この発明の実施の形態１の放送チャンネル情報提供システムの全体構成を示す概念図である。この放送チャンネル情報提供システムは、映像や音楽などのディジタル放送を受信可能な携帯電話機に対し、既に構築されていれる携帯通信ネットワークを利用して、ディジタル放送番組を受信するために必要な放送チャネル情報を提供するものである。
【００１０】
より詳述すれば、この放送チャンネル情報提供システムは、移動通信装置である携帯電話機ＭＳと、携帯通信ネットワークＭＮＷと、この携帯通信ネットワークＭＮＷにゲートウエイＧＷを介して接続されている公衆通信ネットワークＰＮＷに接続された放送チャネル情報提供装置２とを含む。
【００１１】
携帯電話機ＭＳは、無線音声通信、無線データ通信などの通常の携帯電話機能を有するとともに、ＴＶ放送局１から送信されたディジタル放送波を受信できる携帯可能なハイブリッド携帯電話機である。携帯電話機ＭＳは、上記携帯電話機能を実現する電話部１０、ディジタル放送波を受信するディジタル放送受信部１１、ディジタル放送を受信（視聴）するのに必要な放送チャネル情報を保持する情報保持部１２、及び、当該携帯電話機の全体の機能を制御するＣＰＵなどの携帯制御部１３を備えている。また、携帯電話機ＭＳは、ユーザにより操作可能なキー操作部、液晶表示素子などの表示部及びスピーカなどのユーザインタフェース部（図示せず）を備えている。
【００１２】
携帯通信ネットワークＭＮＷは、無線基地局である携帯基地局ＢＳ、この携帯基地局ＢＳに接続され、１又は複数の携帯基地局ＢＳを制御する基地局制御装置ＢＳＣ、及び、基地局制御装置ＢＳＣに接続され、ルーティング制御などを実施する交換局ＭＳＣを備えている。なお、この明細書において「無線ゾーン」とは、１つの基地局制御装置ＢＳＣのカバーする通信エリアを意味する。
【００１３】
１つの無線ゾーンには、所定の位置情報が予め割り当てられている。言い換えれば、１つの基地局制御装置ＢＳＣに接続された各携帯基地局ＭＳには同じ位置情報が割り当てられている。この実施の形態１では、位置情報は、予め定められた割当範囲ごとに異なるものである。上記割当範囲は最大でも同じ放送チャネル情報でディジタル放送を視聴可能な１つの放送範囲に相当する。したがって、この実施の形態１では、位置情報は同じ放送チャネル情報に対応するものであっても互いに異なる場合がある。
【００１４】
放送チャネル情報提供装置２は、放送チャネル情報を記憶保持する放送チャネル情報データベース２０と、放送チャネル情報の検索を行うデータベース検索部２１と、携帯電話機ＭＳに対し検索結果を提供する情報提供制御部２２により構成される。放送チャネル情報データベース２０は、位置情報に対応付けられた複数の放送チャネル情報を予め記憶している。データベース検索部２１は、放送チャネル情報データベース２０にアクセスし、携帯電話機ＭＳの現在位置情報に対応する放送チャネル情報を検索する。情報提供制御部２２は、データベース検索部２１を制御し、その検索を携帯電話機ＭＳに提供し、請求項における放送チャネル情報送信部に相当する手段である。
【００１５】
放送チャネル情報は、放送パラメータ及びチャネル番号からなり、これらの情報によりディジタル放送の１つ１つの番組を一意に特定できる。放送パラメータは、チャネル周波数、モード及びガードインターバルからなり、これらの情報によってディジタル放送電波に同調可能となる。チャネル番号は、放送パラメータにより同調したディジタル放送電波から、視聴を希望する番組を選択するためのものである。すなわち、各ディジタル放送電波には、複数のディジタル放送番組が含まれており、チャネル番号を指定することによって、これらのディジタル放送番組の中から、いずれか１つのディジタル放送番組が特定される。
【００１６】
携帯電話機ＭＳでディジタル放送を視聴する場合、ユーザは、キー操作部を操作し、携帯電話機ＭＳの動作モードをディジタル放送受信モードに切り替える。この操作に応答して、携帯制御部１３はディジタル放送受信部１１を起動する。ディジタル放送受信部１１は、起動後、情報保持部１２にアクセスし放送チャネル情報を読み込んで同調処理を実行する。これにより、当該放送チャネル情報に対応するディジタル放送電波が受信可能になる。ユーザのキー操作部により所定のディジタル放送番組のチャネル番号が指示されると、ディジタル放送受信部１１は、その指示されたチャネル番号のディジタル放送電波を復調して番組を復元し当該番組を表示部及びスピーカに与える。こうして、携帯電話機ＭＳでディジタル放送を視聴することができる。
【００１７】
図２は、この実施の形態１に係る放送チャネル情報提供方法を説明するためのシーケンス図である。ユーザのキー操作に応答してディジタル放送受信モードが起動された場合（ステップＳ１）、携帯電話機ＭＳの電話部１０は、携帯基地局ＢＳに割り当てられている位置情報を自己の現在位置情報として取得する（ステップＳ２、Ｓ３）。具体的には、電話部１０は、位置情報要求信号を携帯基地局ＢＳに無線送信する（ステップＳ２）。携帯基地局ＢＳは、これに応答して位置情報を携帯電話機ＭＳに返信する（ステップＳ３）。こうして、携帯電話機ＭＳは、現在存在している位置の位置情報を取得できる。このように、この実施の形態１では、電話部１０が請求項における位置情報取得部に相当する。
【００１８】
電話部１０は、この取得された位置情報を自己の現在位置情報として放送チャネル情報提供装置２に通知する。より具体的には、電話部１０は、上記取得された位置情報に基づいて位置情報通知信号を生成し、この生成された位置情報通知信号を放送チャネル情報提供装置２に通知する（ステップＳ４）。位置情報通知信号は、放送チャネル情報提供装置２を宛先とし、取得された位置情報を現在位置情報として含むものであり、電話部１０はこの位置情報通知信号を携帯基地局ＢＳに無線送信する。その結果、位置情報通知信号は、携帯基地局ＢＳで受信され、携帯通信ネットワークＭＮＷを介して公衆通信ネットワークＰＮＷに伝達され、最終的に放送チャネル情報提供装置２に到達する。このように、この実施の形態１では、電話部１０が請求項における位置情報通知部に相当する。
【００１９】
放送チャネル情報提供装置２の情報提供制御部２２は、位置情報通知信号を受信すると、この位置情報通知信号をデータベース検索部２１に与える。データベース検索部２１は、上記位置情報通知信号内の現在位置情報に基づき、放送チャネル情報データベース２０の記憶内容を検索する。より具体的には、データベース検索部２１は、上記位置情報に対応する放送チャネル情報を検索し、当該放送チャネル情報を放送チャネル情報データベース２０から抽出する（ステップＳ５）。抽出された放送チャネル情報は情報提供制御部２２に与えられる。
【００２０】
情報提供制御部２２は、この与えられた放送チャネル情報を内容とし位置情報を送信してきた携帯電話機ＭＳを宛先とする放送チャネル情報信号を生成し、当該放送チャネル情報信号を携帯電話機ＭＳに送信する（ステップＳ６）。すなわち、放送チャネル情報信号は、公衆通信ネットワークＰＮＷから携帯通信ネットワークＭＮＷに伝達され、さらに携帯通信ネットワークＭＮＷの携帯基地局ＢＳを介して携帯電話機ＭＳに送信される。このように、この実施の形態１では、携帯基地局ＢＳは、放送チャネル提供装置２の情報提供制御部２２から携帯電話機ＭＳに送信される放送チャネル情報を中継する。
【００２１】
携帯電話機ＭＳの電話部１０は、上記放送チャネル情報信号を受信し（ステップＳ７）、当該放送チャネル情報信号中の放送チャネル情報を取り出し、当該放送チャネル情報を情報保持部１２に与え保持させる（ステップＳ７）。このように、この実施の形態１では、電話部１０及び情報保持部１２が請求項における放送チャネル情報受信・保持部に相当する。
【００２２】
以上のようにこの実施の形態１によれば、携帯電話機ＭＳの位置情報に基づいて、ディジタル放送を受信するのに必要な放送チャネル情報を携帯電話機ＭＳの外部である放送チャネル情報提供装置２から携帯電話機ＭＳに提供するようにしたので、携帯電話機ＭＳのユーザは移動先でその位置に応じた放送チャネル情報の取得作業をする必要がなく、携帯電話機ＭＳのユーザの負担を大幅に軽減できる。
【００２３】
また、すべての放送チャネル情報を携帯電話機ＭＳの内部に登録しておきその中から位置情報に基づいて視聴可能な放送チャネル情報をスキャンする場合と異なり、現在位置で受信不能な放送チャネル情報まで携帯電話機ＭＳに登録しておく必要がない、つまり携帯電話機ＭＳが位置する位置情報に応じた放送チャネル情報のみを一時的に保持していればよいので、情報保持部１２の記憶容量の消費抑制を図ることができる。この効果は、チャネル数の多いディジタル放送において特に顕著である。
【００２４】
さらに、新たな放送局の開局などに伴って放送チャネル情報に変更がある場合にはネットワーク側でその更新作業をすれば済むので、携帯電話機ＭＳのユーザは、更新作業をする必要がないばかりでなく、常に最新の放送チャネル情報を取得することができる。よって、携帯電話機ＭＳのユーザへのサービスを大幅に向上でき、ディジタル放送を受信可能な携帯電話機ＭＳの普及に寄与できる。
【００２５】
ユーザの負担を大幅に軽減できる点についてさらに詳細に説明する。ディジタル放送では、上述のように、チャネル周波数だけでなくモード及びガードインターバルのような放送施設に依存して固定的に設定されない放送パラメータを取得する必要がある。また、ハイブリッド携帯電話機向けのディジタル放送となることが予想される１セグメント放送においては、３〜５種類の放送パラメータが想定されている。ただ、この放送パラメータだけでは現在のアナログ放送のように番組を視聴することはできず、放送パラメータを使用した放送波に同調させた後、チャネル番号を使って番組を特定することにより、希望する番組を視聴できる。
【００２６】
したがって、周波数スキャンによるチャネル特定には「放送パラメータの組み合わせ数：３」×「全チャネル数：５０ｃｈ」（ＵＨＦ１３ｃｈ〜６２ｃｈが想定されている）の回数の周波数スキャンが必要となる。たとえば１回の選局に必要な時間を５秒としても、ハイブリッド携帯電話機が位置する放送範囲の周波数スキャンに必要な時間は「５×５０×３＝７５０秒＝１２．５分」となる。つまり、この実施の形態１によれば、これだけの時間必要であった放送チャネル情報の取得を瞬時に実現することができるのである。
【００２７】
実施の形態２．
図３は、この発明の実施の形態２に係る携帯電話機ＭＳの内部構成を示すブロック図である。
【００２８】
上記実施の形態１では、位置情報を取得した携帯電話機ＭＳが、無条件に位置情報通知信号を生成し、当該位置情報通知信号をネットワーク側に送信する場合について説明している。しかし、従前に取得した位置情報と同じ位置情報を新たに取得した場合には、同じ放送チャネル情報でディジタル放送を視聴できる。そこで、この実施の形態２では、保持されている位置情報と新たに取得された位置情報とを比較し、この比較の結果、２つの位置情報が一致する場合には、位置情報の送信を禁止するようにしている。すなわち、保持されている位置情報と新たに取得された位置情報とが同じである場合には、携帯電話機ＭＳは、放送チャネル情報の取得動作を行わない。
【００２９】
この実施の形態２に係る携帯電話機ＭＳにおける情報保持部１２は、放送チャネル情報を保持する放送チャネル情報保持部３１及び位置情報を保持する位置情報保持部３２を有している。また、電話部１０は、位置情報比較部４１を有している。位置情報比較部４１は、位置情報保持部３２に保持されている位置情報と新たに取得された位置情報とを比較するものである。
【００３０】
図４は、この発明の実施の形態２に係る携帯電話機ＭＳにおける位置情報通知処理を説明するためのフローチャートである。電話部１０は、位置情報を取得すると、無条件に位置情報通知信号を生成するのでなく、上記位置情報を情報保持部１２に与え保持させる（ステップＴ１）。
【００３１】
その後、新たに位置情報が取得されると、電話部１０の位置情報比較部４１は、上記情報保持部１２に保持されている位置情報と新たに取得された位置情報とを比較する（ステップＴ２）。この比較の結果、２つの位置情報が一致する場合、電話部１０は、位置情報通知信号を生成することなく、この位置情報通知処理を終了する。一方、上記比較の結果、２つの位置情報が異なる場合、電話部１０は、情報保持部１２に保持されている位置情報を新たに取得された位置情報に更新するとともに（ステップＴ３）、新たに取得された位置情報を現在位置情報として含む位置情報通知信号を生成する（ステップＴ４）。この位置情報通知信号は、上記実施の形態１と同様に、携帯基地局ＢＳに送信される。このように、この実施の形態２では、電話部１０が請求項における送信制御部に相当する。
【００３２】
以上のようにこの実施の形態２によれば、同じ位置情報を取得した場合には放送チャネル情報の新たな取得動作を禁止するので、無駄な処理をせずに済む。そのため、携帯電話機ＭＳの無駄な電力消費を抑制できる。よって、充電池の長寿命化に寄与できる。
【００３３】
また、ディジタル放送の受信感度をトリガにする場合には、ビルの谷間やトンネル内などを移動する際に生じる一時的な受信感度劣化により、放送チャネル情報の新たな取得動作が行われることになるが、この実施の形態２によれば、位置情報の異同をトリガとしているので、そのような無駄な処理は行われない。
【００３４】
実施の形態３．
図５は、この発明の実施の形態３に係る携帯電話機ＭＳにおける位置情報通知処理を説明するためのフローチャートである。
【００３５】
上記実施の形態２では、２つの位置情報が一致する場合に限り放送チャネル情報の取得処理を禁止する場合を説明している。しかし、同じ位置情報が割り当てられている割当範囲が同じ放送チャネル情報でディジタル放送を視聴できる放送範囲よりも狭い場合には、異なる位置情報であっても同じ放送チャネル情報を使用し得る。そこで、この実施の形態３では、そのような場合を想定し、通信対象の携帯基地局ＢＳに割り当てられた位置情報に加えて同じ放送チャネル情報でディジタル放送を視聴でき得る近隣位置情報を携帯電話機ＭＳに与え、携帯電話機ＭＳで保持されている位置情報が新たに取得された位置情報のいずれか１つと一致する場合には、位置情報の送信を禁止するようにしている。
【００３６】
より詳述すれば、この実施の形態３に係る電話部１０は、位置情報取得時において、通信対象の携帯基地局ＢＳに割り当てられている位置情報及び同じ放送チャネル情報でディジタル放送を視聴し得る近隣位置情報を、通信対象の携帯基地局ＢＳから取得する（ステップＵ１）。すなわち、電話部１０は、位置情報要求信号を通信対象の携帯基地局ＢＳに送信する。これに応答して、携帯基地局ＢＳは、自局に割り当てられている位置情報、及び、他の携帯基地局に割り当てられているものであって同じ放送範囲に対応する近隣位置情報を携帯電話機ＭＳに返信する。こうして、電話部１０は位置情報及び近隣位置情報を取得できる。電話部１０は、その取得された位置情報及び近隣位置情報のうち通信対象の携帯基地局ＢＳに割り当てられている位置情報を情報保持部１２に与え、位置情報保持部３２に保持させる（ステップＵ２）。
【００３７】
その後、新たに位置情報及び近隣位置情報が取得されると、電話部１０は、上記位置情報保持部３２に保持されている位置情報と、新たに取得された複数の位置情報とを比較する（ステップＵ３）。この比較の結果、保持されている位置情報が新たに取得された複数の位置情報のいずれか１つと一致する場合、電話部１０は、位置情報通知信号を生成することなく、この位置情報通知処理を終了する。
【００３８】
一方、上記比較の結果、保持されている位置情報が新たに取得された複数の位置情報のいずれとも異なる場合、携帯電話機ＭＳが同じ放送チャネル情報でディジタル放送を視聴できる範囲を出たと想定されるので、電話部１０は、位置情報保持部３２に保持されている位置情報を新たに取得された位置情報に更新するとともに（ステップＵ４）、新たに取得された位置情報を現在位置情報として含む位置情報通知信号を生成する（ステップＵ５）。これにより、新たな現在位置に対応する放送チャネル情報を取得することができる。
【００３９】
以上のようにこの実施の形態３によれば、同じ位置情報を取得した場合だけでなく同じ放送チャネル情報でディジタル放送を視聴できる位置情報を取得した場合には放送チャネル情報の取得動作を禁止するので、実施の形態２の場合よりもより一層無駄な処理をせずに済む。そのため、携帯電話機の無駄な電力消費をより一層抑制でき、充電池の長寿命化により一層寄与できる。
【００４０】
実施の形態４．
図６は、この発明の実施の形態４に係る放送チャンネル情報提供システムの全体構成を示す概念図である。
【００４１】
上記実施の形態１乃至３では、携帯電話機ＭＳが存在する携帯基地局ＢＳに割り当てられている位置情報を携帯電話機ＭＳの現在位置情報として放送チャネル情報の取得処理を実行する場合を想定している。しかし、位置情報の割当範囲と放送範囲とが１対１に対応している場合において、たとえばその割当範囲の境界付近に携帯電話機ＭＳが存在するとき、隣接する割当範囲（放送範囲）の放送チャネル情報でディジタル放送を受信した方がディジタル放送を良好に受信できる場合がある。そこで、この実施の形態４では、ネットワーク側で電波を良好に受信できる携帯電話機ＭＳの位置を推定し、当該位置情報に対応する放送チャネル情報を携帯電話機ＭＳに提供するようにしている。
【００４２】
より詳述すれば、この実施の形態４に係る電話部１０は、基地局検索部５１を備えている。基地局検索部５１は、携帯電話機ＭＳの存在する位置近傍の接続可能な携帯基地局ＢＳを検索するものである。たとえば、基地局検索部５１は、一定の受信レベル以上で電波を受信した携帯基地局ＢＳを接続可能な携帯基地局として検索する。たとえば図６において、位置情報Ａが割り当てられている携帯基地局ＢＳ１と接続中である場合、その無線ゾーンと位置情報Ｂが割り当てられている２つの携帯基地局ＢＳ２、ＢＳ３の無線ゾーンとの境界付近に携帯電話機ＭＳが存在するとき、その２つの携帯基地局ＢＳ２、ＢＳ３を接続可能な携帯基地局と判断する。
【００４３】
また、情報保持部１２は、情報検査部６１を備えている。情報検査部６１は、放送チャネル情報提供装置２から送信され電話部１０で受信された情報を検査するものである。後述するが、この実施の形態４では、放送チャネル情報提供装置２からは、放送チャネル情報の他、特定情報が送信されてくる。特定情報は、放送チャネル情報提供装置２にて携帯電話機ＭＳの現在位置を推定できなかった場合に送信されてくるものである。情報検査部６１は、放送チャネル情報提供装置２から送信されてきた情報が放送チャネル情報であるか特定情報であるかを検査する。
【００４４】
さらに、放送チャネル情報提供装置２は、端末位置推定部７１を備えている。端末位置推定部７１は、携帯電話機ＭＳから送信されてきた位置情報通知信号に含まれている複数の位置情報の中から電波を良好に受信できる位置情報を推定する。
【００４５】
図７および図８は、この実施の形態４に係る放送チャネル情報提供方法を説明するためのシーケンス図である。ユーザのキー操作に応答してディジタル放送受信モードが起動された場合（ステップＷ１）、携帯電話機ＭＳは当該携帯電話機が存在する位置の位置情報を取得する（ステップＷ２〜Ｗ４）。
【００４６】
より具体的には、電話部１０の基地局検索部５１は、たとえば、一定の受信レベル以上で電波を受信した携帯基地局を接続可能な携帯基地局として検索する（ステップＷ２）。電話部１０は、この検索結果に基づき、接続可能と判断されたすべての携帯基地局ＢＳ１〜ＢＳ３に対し位置情報要求信号を送信する（ステップＷ３）。各携帯基地局ＢＳ１〜ＢＳ３は、上記位置情報要求信号に応答して、自局に割り当てられている位置情報を携帯電話機ＭＳに対し送信する（ステップＷ４）。こうして、携帯電話機ＭＳは、位置情報及び近隣位置情報を取得できる。
【００４７】
電話部１０は、各位置情報を受信すると、当該位置情報を含む位置情報通知信号を生成し、携帯通信ネットワークＭＮＷを介して放送チャネル情報提供装置２に通知する（ステップＷ５）。放送チャネル情報提供装置２の端末位置推定部７１は、携帯電話機ＭＳから位置情報通知信号を受信すると、携帯電話機ＭＳの現在位置の推定処理を実行する（ステップＷ６）。
【００４８】
端末位置推定部７１は、位置推定結果を情報提供制御部２２に与える。情報提供制御部２２は、この位置推定結果をデータベース検索部２１に与える。位置推定結果は、推定された現在位置情報及び推定できなかった場合の特定情報を含む。
【００４９】
データベース検索部２１は、現在位置情報が与えられた場合（ステップＷ７のＹＥＳ）、当該現在位置情報に対応する放送チャネル情報を放送チャネル情報データベース２０から抽出する（ステップＷ８）。抽出された放送チャネル情報は情報提供制御部２２に与えられ、この情報提供制御装置２２は上記放送チャネル情報を携帯電話機ＭＳに対して送信する（ステップＷ９）。一方、データベース検索部２１は、特定情報が与えられると（ステップＷ７のＮＯ）、情報抽出処理を実行することなく、当該特定情報を情報提供制御部２２に与える。情報提供制御部２２は、この特定情報を携帯電話機ＭＳに対して送信する（ステップＷ１０）。
【００５０】
携帯電話機ＭＳの電話部１０は、放送チャネル情報提供装置２から送信されてきた情報を受信し（図８のステップＷ１１）、この受信した情報を情報検査部６１に与える。情報検査部６１は、与えられた情報を検査し（ステップＷ１２）、放送チャネル情報であれば放送チャネル情報保持部３１に保持されている放送チャネル情報を新たに与えられた放送チャネル情報に更新し（ステップＷ１３）、特定情報であれば保持されている放送チャネル情報の更新をしない。すなわち、位置を推定できなかった場合には、放送チャネル情報提供装置２から特定情報を携帯電話機ＭＳに与えることで放送チャネル情報の不要な更新を防止する。この場合、携帯電話機ＭＳは既に放送チャネル情報保持部３１に保持されている放送チャネル情報を使用し続ける。
【００５１】
図９は、端末位置推定部７１における位置推定処理を説明するためのフローチャートである。端末位置推定部７１は、受信された位置情報通知信号の中から複数の位置情報を抽出する（ステップＸ１）。その後、端末位置推定部７１は、その抽出された複数の位置情報のうちたとえば「位置情報Ａ」が半数を超えるか否かを判別する（ステップＸ２）。半数を超える場合、「位置情報Ａ」が電波を良好に受信できる位置情報であると判断できるため、端末位置推定部７１は、その位置情報Ａを現在位置情報としてデータベース検索部２１に与える（ステップＸ３）。
【００５２】
一方、「位置情報Ａ」が半数を超えない場合、次に、端末位置推定部７１は、「位置情報Ｂ」が半数を超えるか否かを判別する（ステップＸ４）。半数を超える場合、「位置情報Ｂ」が電波を良好に受信できる位置情報であると判断できるため、端末位置推定部７１は、その位置情報Ｂを現在位置情報としてデータベース検索部２１に与える（ステップＸ５）。
【００５３】
他方、「位置情報Ａ」も「位置情報Ｂ」もいずれも半数を超えない場合、たとえば「位置情報Ａ」も「位置情報Ｂ」もいずれも１つずつであった場合、端末位置推定部７１は、位置推定処理を終了する。この場合、端末位置推定部７１は推定不可であることを示す特定情報をデータベース検索部２１に与える（ステップＸ６）。
【００５４】
以上のように、この実施の形態４によれば、ネットワーク側において電波を良好に受信できる携帯電話機ＭＳの現在位置情報を推定するようにしたので、ディジタル放送を良好な品質で受信できる放送チャネル情報を携帯電話機ＭＳに提供できる。したがって、携帯電話機ＭＳはディジタル放送を良好な品質で受信できる。特に、１つの放送チャネル情報でディジタル放送を受信できる領域の境界付近に携帯電話機ＭＳが存在する場合その効果は顕著である。そのため、ユーザへのサービス向上を一層図ることができる。
【００５５】
実施の形態５．
図１０は、この発明の実施の形態５に係る携帯電話機ＭＳの内部構成を示すブロック図である。
【００５６】
上記実施の形態４では、携帯電話機ＭＳの現在位置をネットワーク側の放送チャネル情報提供装置２にて推定する場合を説明している。これに対して、この実施の形態５では、携帯電話機ＭＳの現在位置をネットワーク側で推定する代わりに携帯電話機ＭＳ自身で推定する場合を例にとっている。より詳述すれば、この実施の形態５に係る携帯電話機ＭＳにおける電話部１０は、位置推定部８１を有している。位置推定部８１は、基地局検索部５１で検索された携帯基地局ＢＳの位置情報の中から自機の位置を推定するものであり、上記実施の形態４における端末位置推定部７１と同等の機能を実現するものである。このように、この実施の形態５では携帯電話機ＭＳ自身で現在位置推定を実現するため、ネットワーク側の構成としては図１と同等である。
【００５７】
図１１は、電話部１０における位置情報通知処理を説明するためのシーケンス図である。ユーザのキー操作に応答してディジタル放送受信モードが起動された場合（ステップＹ１）、電話部１０は当該携帯電話機ＭＳが存在する位置の位置情報を取得する（ステップＹ２〜Ｙ４）。
【００５８】
より具体的には、基地局検索部５１は、たとえば、一定の受信レベル以上で電波を受信した携帯基地局ＢＳを接続可能な携帯基地局として検索する（ステップＹ２）。電話部１０は、この検索結果に基づき、接続可能と判断されたすべての携帯基地局ＢＳ１〜ＢＳ３に対し位置情報要求信号を送信する（ステップＹ３）。各携帯基地局ＢＳ１〜ＢＳ３は、上記位置情報要求信号に応答して、自局に割り当てられている位置情報を携帯電話機ＭＳに対し送信する（ステップＹ４）。こうして、携帯電話機ＭＳは、位置情報及び近隣位置情報を取得できる。
【００５９】
電話部１０は、上記携帯基地局ＢＳ１〜ＢＳ３から送信された位置情報及び近隣位置情報を受信すると、当該位置情報及び近隣位置情報を位置推定部８１に与える。位置推定部８１は、その与えられた複数の位置情報に基づいて、自機の現在位置を推定する（ステップＹ５）。位置推定方法は上記図８と同様である。この位置推定処理の結果現在位置が推定されると（ステップＹ６のＹＥＳ）、位置推定部８１はその推定された現在位置情報を含む位置情報通知信号を生成し、当該位置情報通知信号を放送チャネル情報提供装置２に送信する（ステップＹ７）。一方、現在位置を推定できなかった場合（ステップＹ６のＮＯ）、位置推定部８１はその旨を出力する。これにより、電話部１０は位置情報通知処理を終了する。この場合、携帯電話機ＭＳは既に放送チャネル情報保持部３１に保持されている放送チャネル情報を使用し続ける。
【００６０】
なお、位置情報通知信号を放送チャネル情報提供装置２に送信した後の処理は、図２のステップＳ５〜Ｓ８と同様なので、その説明を省略する。
【００６１】
以上のようにこの実施の形態５によれば、電波を良好に受信できる位置を携帯電話機ＭＳ自身で推定するので、無駄な位置情報通知を行わなくても済む。そのため、処理の簡素化を図ることができ、無駄な電力消費を抑制できる。
【００６２】
実施の形態６．
図１２は、この発明の実施の形態６に係る放送チャネル情報提供システムの全体構成を示す概念図である。
【００６３】
上記実施の形態１乃至５では、携帯電話機ＭＳから位置情報要求信号を携帯基地局ＢＳに送信し携帯基地局ＢＳから位置情報を返信し、さらに携帯電話機ＭＳからその取得された位置情報を放送チャネル情報提供装置２に送信することにより、放送チャネル情報の取得を実現する場合を例にとっている。これに対し、この実施の形態６では、携帯基地局ＢＳから放送チャネル情報を同報配信する場合を例にとっている。
【００６４】
より詳述すれば、携帯基地局ＢＳは、放送チャネル情報格納部９１を有している。放送チャネル情報格納部９１は、放送チャネル情報提供装置２の放送チャネル情報データベース２０に記憶されている複数の放送チャネル情報のうち自己に割り当てられている放送チャネル情報を格納するものである。
【００６５】
また、携帯基地局ＢＳは、同報配信部９２を備えている。同報配信部９２は、放送チャネル情報格納部９１に格納されている放送チャネル情報を同報配信チャネルを介して固有の無線ゾーンに同報配信する。この場合、たとえば、同報配信部９２は、放送チャネル情報だけを同報配信するのでなく他の情報とともに同報配信する。なお、放送チャネル情報だけを同報配信するようにしてもよいことはもちろんである。
【００６６】
図１３は、この発明の実施の形態６に係る放送チャネル情報提供方法を説明するためのシーケンス図である。たとえばシステム開始運用時において携帯基地局ＢＳは、自局の位置情報を放送チャネル情報提供装置２に送信する（ステップＺ１）。放送チャネル情報提供装置２の情報提供制御部２２は、上記位置情報を受信すると、当該位置情報をデータベース検索部２１に与える。
【００６７】
データベース検索部２１は、この与えられた位置情報に対応する放送チャネル情報を放送チャネル情報データベース２０から検索し抽出する（ステップＺ２）。データベース検索部２１は、その抽出された放送チャネル情報を携帯基地局ＢＳに送信する（ステップＺ３）。携帯基地局ＢＳは、放送チャネル情報を受信すると、当該放送チャネル情報を放送チャネル情報格納部９１に格納する（ステップＺ４）。
【００６８】
携帯基地局ＢＳの同報配信部９２は、放送チャネル情報格納部９１に格納されている放送チャネル情報を同報配信チャネルを介して無線ゾーンに同報配信する（ステップＺ５）。一方、携帯電話機ＭＳの電話部１０は、電源起動中、上記同報配信チャネルを介して同報配信されている放送チャネル情報を受信する（ステップＺ６）。電話部１０は、この受信された放送チャネル情報を情報保持部１２に保持させる（ステップＺ７）。こうして、放送チャネル情報の提供が実現される。
【００６９】
このように、電話部１０は、電源起動中、上記同報配信チャネルを介して同報配信されている同報配信情報を受信し続ける。すなわち、携帯電話機ＭＳは、携帯基地局ＢＳと接続されている限り常に携帯電話機ＭＳの位置に応じた放送チャネル情報を取得することができる。この場合、電話部１０による通信は発生しない。つまり、携帯電話機ＭＳから携帯基地局ＢＳに何らかの情報が送信されることはない。
【００７０】
また、異なる放送チャネル情報を受信する場所まで携帯電話機ＭＳが移動すると、携帯電話機ＭＳはその放送チャネル情報を新たに受信するので、電話部１０は、既に保持されている放送チャネル情報を消去し、新たに受信した放送チャネル情報をその消去した放送チャネル情報の代わりに情報保持部１２に保持させる。こうして、放送チャネル情報の更新を自動的に実現する。
【００７１】
なお、放送チャネル情報の変更時には、たとえば放送チャネル情報提供装置２は放送チャネル情報の変更メッセージを全携帯基地局ＢＳに送信する。各携帯基地局ＢＳは、上記変更メッセージを受信すると、自局の位置情報を放送チャネル情報提供装置２に送信する。その結果、上述の場合と同様に、放送チャネル情報提供装置２から変更後の放送チャネル情報が携帯基地局ＢＳに送信される。携帯基地局ＢＳは、その変更後の放送チャネル情報を受信すると、当該放送チャネル情報を放送チャネル情報格納部９１に格納する。これにより、放送チャネル情報格納部９１には常に最新の放送チャネル情報が格納されることになる。つまり、常に最新の放送チャネル情報が同報配信されることになり、携帯電話機ＭＳにおいて常に最新の放送チャネル情報を取得することができる。
【００７２】
以上のようにこの実施の形態６によれば、携帯基地局ＢＳから放送チャネル情報を同報配信するので、放送チャネル情報を取得するのに携帯電話機ＭＳと放送チャネル情報提供装置２との間で通信を実施する必要がなく、放送チャネル情報提供システム全体の処理の簡素化を図ることができる。したがって、携帯電話機ＭＳの無駄な電力消費を抑えることができる。
【００７３】
また、放送チャネル情報に変更がある場合には、ネットワーク側でその変更を実施するだけで更新済みの放送チャネル情報を携帯電話機ＭＳに提供できるので、携帯電話機ＭＳのユーザに負担を強いることなく最新の放送チャネル情報を携帯電話機ＭＳに提供することができる。そのため、ユーザへのサービス向上に寄与できる。
【００７４】
実施の形態７．
図１４は、この発明の実施の形態７に係る携帯電話機ＭＳの内部構成を示すブロック図である。
【００７５】
上記実施の形態６では、同報配信されている放送チャネル情報を受信した場合には無条件に当該放送チャネル情報を情報保持部１２に保持させている。しかし、既に保持されている放送チャネル情報と同じ放送チャネル情報を取得した場合にその都度保持されている放送チャネル情報を更新するのは非効率的である。そこで、この実施の形態６では、携帯電話機ＭＳは、受信された放送チャネル情報を保持し、この保持されている放送チャネル情報と新たに受信された放送チャネル情報とを比較し、この比較の結果２つの放送チャネル情報が一致する場合、上記保持されている放送チャネル情報の更新を禁止するようにしている。すなわち、電話部１０は、情報保持部１２に保持されている放送チャネル情報と新たに受信された放送チャネル情報とを比較する放送チャネル情報比較部９５を備えている。
【００７６】
図１５は、この発明の実施の形態７に係る携帯電話機ＭＳにおける放送チャネル情報取得処理を説明するためのフローチャートである。電話部１０は、同報配信チャネルを介して放送チャネル情報を受信すると、この放送チャネル情報を情報保持部１２に保持させる（ステップＡ１）。その後、新たに放送チャネル情報が受信されると、電話部１０の放送チャネル情報比較部９５は、情報保持部１２に保持されている放送チャネル情報と新たに受信された放送チャネル情報とを比較する（ステップＡ２）。
【００７７】
この比較の結果２つの放送チャネル情報が一致する場合、電話部１０は、情報保持部１２に保持されている放送チャネル情報を更新することなく、そのままの状態を維持する。一方、２つの放送チャネル情報が一致しない場合、電話部１０は、情報保持部１０に保持されている放送チャネル情報を更新する（ステップＡ３）。
【００７８】
以上のようにこの実施の形態７によれば、同じ放送チャネル情報を受信した場合には情報保持部１２の更新を禁止するので、無駄な処理をせずに済む。そのため、携帯電話機ＭＳの無駄な電力消費を抑制できる。よって、充電池の長寿命化に寄与できる。
【００７９】
実施の形態８．
図１６は、この発明の実施の形態８に係る携帯電話機ＭＳの内部構成を示すブロック図である。
【００８０】
上記実施の形態７では、携帯電話機ＭＳが通信する携帯基地局ＢＳが１つである場合を想定している。しかし、特に同じ放送チャネル情報でディジタル放送を視聴できる放送範囲の境界付近では、隣接する放送範囲の放送チャネル情報でディジタル放送を受信した方がディジタル放送を良好に受信できる場合がある。そこで、この実施の形態８では、通信対象の携帯基地局ＢＳの近傍に存在する携帯基地局ＢＳのうち接続可能な携帯基地局ＢＳを検索し、この検索されたすべての携帯基地局ＢＳから同報配信されている放送チャネル情報のうちいずれかを選択するようにしている。
【００８１】
より詳述すれば、この実施の形態８に係る携帯電話機ＭＳの電話部１０は、基地局検索部９６を備えている。基地局検索部９６は、実施の形態４における基地局検索部５１と同様に、携帯電話機ＭＳの存在する位置近傍の接続可能な携帯基地局ＢＳを検索するものである。たとえば、基地局検索部９６は、一定の受信レベル以上で電波を受信した携帯基地局ＢＳを接続可能な携帯基地局として検索する。
【００８２】
また、電話部１０は、放送チャネル情報選択部９７を備えている。放送チャネル情報選択部９７は、基地局検索部９６で検索されたすべての携帯基地局ＢＳから同報配信されている放送チャネルのうちいずれかを選択するものである。選択の基準は、たとえば実施の形態４における位置情報推定処理を応用したものである。すなわち、図９における「位置情報」を「放送チャネル情報」に代え、接続可能として検索されたすべての携帯基地局ＢＳから同報配信されている放送チャネル情報のうち半数超の放送チャネル情報を選択するものである。
【００８３】
図１７は、この実施の形態８に係る放送チャネル情報取得処理を説明するためのフローチャートである。電話部１０の基地局検索部９６は、たとえば一定レベル以上で電波を受信した携帯基地局ＢＳを接続可能な携帯基地局として検索する（ステップＣ１）。電話部１０は、この検索されたすべての携帯基地局ＢＳから同報配信されている放送チャネル情報を受信する。電話部１０の放送チャネル情報選択部９７は、この受信されたすべての放送チャネル情報に基づいて、これら放送チャネル情報のうち最適な放送チャネル情報を選択する（ステップＣ２）。具体的には、たとえば放送チャネル情報選択部９７は、半数超の放送チャネル情報を最適な放送チャネル情報として選択する。図示していないが、半数超の放送チャネル情報がなければ放送チャネル情報の選択・更新は行わず、それまでに保持している放送チャネル情報をそのまま使用する。
【００８４】
ステップＣ２においていずれかの放送チャネル情報が選択されると、電話部１０の放送チャネル情報比較部９５は、その選択された放送チャネル情報が情報保持部１２に保持されている放送チャネル情報とを比較する（ステップＣ３）。一致すれば、電話部１０は、情報保持部１２を更新することなく、この処理を終了する。一方、一致しなければ、電話部１０は、情報保持部１２の保持内容を更新し、選択された放送チャネル情報を新たに情報保持部１２に保持させる（ステップＣ４）。
【００８５】
以上のようにこの実施の形態８によれば、接続可能な携帯基地局ＢＳを検索しそれらから同報配信されている放送チャネル情報のうち最適な放送チャネル情報を選択しそれを使用するようにしているので、特に放送範囲の境界付近に存在する携帯電話機ＭＳは、常に高品質なディジタル放送を視聴することができる。したがって、携帯電話機ＭＳのユーザへのサービス向上を図ることができる。
【００８６】
なお、上記の説明では、放送チャネル情報の数に基づいて最適な放送チャネル情報を選択する場合を例にとって説明している。しかし、たとえば携帯基地局ＢＳから放送チャネル情報とともにこの放送チャネル情報に対応付けられた位置情報を同報配信するようにし、この同報配信されている位置情報に基づいて携帯電話機ＭＳの現在位置を推定し、この推定された位置情報に対応する放送チャネル情報を選択するようにしてもよいことはもちろんである。
【００８７】
他の実施の形態．
この発明の実施の形態の説明は以上のとおりであるが、この発明は上述の実施の形態に限定されるものではない。たとえば上記実施の形態では、移動通信装置として携帯電話機ＭＳを例にとって説明しているが、移動通信装置としては、たとえば車載ナビゲーション装置や、ＰＤＡなどの携帯情報端末を適用することができる。
【００８８】
また、上記実施の形態では、ディジタル放送を受信する場合を例にとっているが、アナログ放送を受信する場合であっても、上述のように、放送チャネル情報提供装置２から携帯電話機ＭＳに対して放送チャネル情報を提供するようにしてもよいことはもちろんである。この場合であっても、ユーザの負担軽減を図ることができるのは言うまでもない。
【００８９】
さらに、上記実施の形態では、放送チャネル情報提供装置２は公衆通信ネットワークＰＮＷに接続されている例を示しているが、たとえば放送チャネル情報提供装置２は携帯通信ネットワークＭＮＷに接続されていてもよい。要は、放送チャネル情報提供装置２は、移動通信装置ＭＳと無線接続可能な通信ネットワークに接続されていればよい。
【００９０】
【発明の効果】
以上のようにこの発明によれば、通信ネットワーク側から移動通信端末に対して放送チャネル情報を提供するようにしているので、放送チャネル情報取得のための移動通信装置のユーザの負担を大幅に軽減できるとともに、移動通信装置のメモリ容量の消費抑制を図ることができ、さらに、移動通信装置において常に最新の放送チャネル情報の取得を実現することができる。
【図面の簡単な説明】
【図１】この発明の実施の形態１に係る放送チャネル情報提供システムの全体構成を示す概念図である。
【図２】この実施の形態１に係る放送チャネル情報提供方法を説明するためのシーケンス図である。
【図３】この発明の実施の形態２に係る携帯電話機の内部構成を示すブロック図である。
【図４】この発明の実施の形態２に係る携帯電話機における位置情報通知処理を説明するためのフローチャートである。
【図５】この発明の実施の形態３に係る携帯電話機における位置情報通知処理を説明するためのフローチャートである。
【図６】この発明の実施の形態４に係る放送チャネル情報提供システムの全体構成を示す概念図である。
【図７】この実施の形態４に係る放送チャネル情報提供方法を説明するためのシーケンス図である。
【図８】図７の続きに相当するシーケンス図である。
【図９】端末位置推定部における位置推定処理を説明するためのフローチャートである。
【図１０】この発明の実施の形態５に係る携帯電話機の内部構成を示すブロック図である。
【図１１】電話部における位置情報通知処理を説明するためのシーケンス図である。
【図１２】この発明の実施の形態６に係る放送チャネル情報提供システムの全体構成を示す概念図である。
【図１３】この発明の実施の形態６に係る放送チャネル情報提供方法を説明するためのシーケンス図である。
【図１４】この発明の実施の形態７に係る携帯電話機の内部構成を示すブロック図である。
【図１５】この発明の実施の形態７に係る携帯電話機ＭＳにおける放送チャネル情報取得処理を説明するためのフローチャートである。
【図１６】この発明の実施の形態８に係る携帯電話機ＭＳの内部構成を示すブロック図である。
【図１７】この実施の形態８に係る放送チャネル情報取得処理を説明するためのフローチャートである。
【符号の説明】
ＭＳ  携帯電話機、ＢＳ  携帯基地局、ＭＮＷ  携帯通信ネットワーク、
ＰＮＷ  公衆通信ネットワーク、２  放送チャネル情報提供装置、
１０  電話部、１１  ディジタル放送受信部、１２  情報保持部、
２０  放送チャネル情報データベース、２１  データベース検索部、
２２  情報提供制御部、３１  放送チャネル情報保持部、
３２  位置情報保持部、４１  位置情報比較部、５１  基地局検索部、
６１  情報検査部、７１  端末位置推定部、８１  位置推定部、
９１  放送チャネル情報格納部、９２  同報配信部、
９５  放送チャネル情報比較部、９６  基地局検索部、
９７  放送チャネル情報選択部
【図１】
2004201117.tif 000003
【図２】
2004201117.tif 000004
【図３】
2004201117.tif 000005
【図４】
2004201117.tif 000006
【図５】
2004201117.tif 000007
【図６】
2004201117.tif 000008
【図７】
2004201117.tif 000009
【図８】
2004201117.tif 000010
【図９】
2004201117.tif 000011
【図１０】
2004201117.tif 000012
【図１１】
2004201117.tif 000013
【図１２】
2004201117.tif 000014
【図１３】
2004201117.tif 000015
【図１４】
2004201117.tif 000016
【図１５】
2004201117.tif 000017
【図１６】
2004201117.tif 000018
【図１７】
2004201117.tif 000019